(57)【要約】【課題】インターネットサイト上において各種のスポーツサークル・イベントの紹介、会員募集、運営管理を効率良く行うことのできるスポーツサークル運営システムを提案すること。【解決手段】スポーツサークル運営システム１は、インターネット上においてスポーツサークルサイト２を運営している管理システム３を有している。スポーツサークルサイト２には、通信端末４からインターネットを介してアクセスして、各種のスポーツサークル情報や各種スポーツイベント情報を閲覧でき、また、それらへの募集申し込み、新規サークルの登録などを効率良く行うことができる。【選択図】　　　図１
2004126900.tif 000002
【特許請求の範囲】
【請求項１】
インターネット上でスポーツサークルサイトを運営する管理システムを有し、
前記スポーツサークルサイトに通信端末からインターネットを介してアクセスすることにより、
当該スポーツサークルサイトに掲載されている各種のスポーツサークル情報、スポーツイベント情報の閲覧および検索が可能なサークル検索機能を提供し、
予め前記管理システムに登録されている会員が前記スポーツサークルサイトにアクセスすると、
メールの送信、受信メール一覧表示、送信済みメールの一覧表示が可能なミニメール機能、
前記スポーツサークルサイトに掲載されている各種スポーツイベントへの申し込み確認・変更機能、
会員登録内容の確認と変更を行うことのできる個人データ変更機構、
新規のスポーツサークルを作成して登録できるサークル作成機能、
作成したスポーツサークルを管理するサークル管理機能、
各種スポーツサークルへの入会機能、
を提供することを特徴とするスポーツサークル運営システム。
【請求項２】
請求項１において、
非会員が前記スポーツサークルサイトにアクセスすると、
少なくとも、利用規約情報、会員登録情報、サークル活動情報、スポーツカテゴリトップページ、イベント一覧・詳細情報、スポーツサークル一覧・検索機能およびサークルページ・掲示板を提供することを特徴とするスポーツサークル運営システム。
【請求項３】
請求項１または２において、
前記の各種スポーツイベントへの申し込み機能は、
申し込み順、申し込み単位、申し込み又は同伴者、表示ネーム、所属サークル名を含むイベントの申し込み状況をイベント詳細画面にて一覧表示し、
申し込みが完了した時点で、前記管理システムより完了メールを自動配信し、申し込み完了画面ではオンライン決済が連携していて、直ちに決済可能な機能であることを特徴とするスポーツサークル運営システム。
【請求項４】
請求項１ないし３のうちのいずれかの項において、
前記イベント申し込み確認・変更機能は、
予約状況を会員ページにて確認でき、
予約の変更、キャンセルが可能であり、
予約の変更、キャンセルの確認画面において連携しているオンライン決済が可能な機能であることを特徴とするスポーツサークル運営システム。
【請求項５】
請求項１ないし４のうちのいずれかの項において、
前記サークル作成機能は、
スポーツサークルを前記スポーツサークルサイト上で作成した場合、作成したスポーツサークルが、選択したスポーツのカテゴリとサークル一覧に格納され、会員にはサークル主催者としてサークルページの管理、活動を行うためのサークル管理機能が付与され、主催者管理機能として、サークル情報管理、入会申請一覧、メンバー管理、入会申請可否、掲示板、管理人への報告機能を提供するものであることを特徴とするスポーツサークル運営システム。
【請求項６】
請求項１ないし５のうちのいずれかの項において、
前記サークル管理機能は、
サークル情報管理画面においてメンバー募集、対戦相手募集機能を提供し、
当該画面にチェックを入れた場合、サークル検索画面にて、メンバー募集サークルを検索すると登録されているサークルを表示し、対戦相手募集も検索可能であり、特定のスポーツカテゴリにおいては、同時にその対戦チーム募集一覧への格納も行い、
サークル入会を希望するメールを入会申請一覧に格納し、申請中のメール管理が可能であり、主催者は入会の可否をメールにて返信でき、許可された会員を主催者用メンバー一覧へ格納し、拒否された入会希望者を入会申請一覧より削除し、
メンバー管理においては入会許可した会員を表示し、個別、選択、全選択機能を提供し、選択したメンバーに対してミニメールを送ることが可能であり、
主催者は作成したサークル内の掲示板への書込みと削除が可能であり、メンバーの書き込みに対して、書き込んだ本人以外で削除することが可能であり、
主催者はサイト管理人への報告メールを送ることが可能であり、このメールは管理人によりサークル活動報告としてスポーツカテゴリトップに反映させることのできる機能であることを特徴とするスポーツサークル運営システム。
【請求項７】
請求項１ないし６のうちのいずれかの項において、
前記各種スポーツサークルへの入会機能は、
サークルに入会する場合に、サークルの主催者に対し、入会申請ミニメールを送り、このミニメールを主催者管理機能の入会申請一覧に格納し、許可された会員を入会サークルページにて入会用メンバー一覧に所属させ、サークルメンバーとのミニメールのやりとりを可能とし、
掲示板への書込み・削除を可能とし、本人の望む望まないに拘わらず、不適切と主催者が判断した場合には、主催者がサークル管理機能にて削除することが可能な機能であることを特徴とするスポーツサークル運営システム。
【請求項８】
請求項１ないし７のうちのいずれかの項において、
前記サークル検索機能は、
スポーツカテゴリからサークル一覧を開くと、そのスポーツに属しているサークルを表示し、ユーザーは検索項目を選択し、探したいサークルを表示することができ、サークル名をクリックするとサークルページを表示する機能であることを特徴とするスポーツサークル運営システム。
【請求項９】
請求項１ないし８のうちのいずれかの項において、
会員ページ機能を有し、この会員ページ機能は、
会員登録をすると個人のページを作成し、このページではミニメール機能、イベント申し込み参照・変更機能を提供し、前記管理システムにて入力したデータをサークル管理人からのお知らせとして表示する機能であることを特徴とするスポーツサークル運営システム。
【請求項１０】
請求項１ないし９のうちのいずれかの項において、
前記ミニメール機能は、
登録会員同士のメール交換が可能であり、メールアドレスではなく、会員登録した際のニックネームをキーとする、サイト専用のメール機能であり、メールデータは全て前記管理システムでの管理下にあり、メール送信、受信、送信一覧、受信一覧にてミニメールの管理が可能であり、新着ミニメールが届くと何通なのかがミニメールトップ、会員トップページで表示され、確認可能であり、送信、受信メールの相手は友達リストに登録が可能で、頻繁に利用するアドレス帳としての利用ができる機能であることを特徴とするスポーツサークル運営システム。
【請求項１１】
請求項１ないし１０のうちのいずれかの項において、
レベル判定機能を有し、この機能はイベント参加者のレベルを統一し、円滑な運用をサポートするために、スポーツのスキルの判定を行う機能であり、イエス・ノーを選択してくことで複数段階のレベル判定を行い得ることを特徴とするスポーツサークル運営システム。
【発明の詳細な説明】
【０００１】
【発明の属する技術分野】
本発明は、インターネットウェブ上において、各種のスポーツサークルの紹介、会員募集および管理や、各種スポーツイベントの紹介、申し込み受付および管理を行うスポーツサークル運営システムに関するものである。
【０００２】
【従来の技術および解決しようとする課題】
従来における各種のスポーツサークルの紹介、会員募集および運営管理の方法、または各種スポーツイベントの紹介、参加者募集および運営管理の方法では、イベントゲームなどへの参加者を募るために、時間と手間（人手）を要していた。
【０００３】
本発明の課題は、各種のスポーツサークルやイベントの紹介、参加者募集や運営管理をインターネットウェブ上において効率良く行うことのできるスポーツサークル運営システムを提案することにある。
【０００４】
すなわち、本発明の課題は、会員として登録したユーザーを対象に、個々から複数、団体へとサークル活動を通じてコミュニケーションの輪を広げるためのバックアップを行うスポーツサークル運営システムを提案することにある。
【０００５】
また、本発明の課題は、各種スポーツイベントの企画や施設の利用促進のほか、審判・インストラクター派遣サービス、対戦相手マッチメイクサービス、メンバー募集サービス等のバックアップをユーザーに提供可能なスポーツサークル運営システムを提案することにある。
【０００６】
さらに、本発明の課題は、スポーツ施設の利用に関して、企業・公共ともに、イベント・サークルでの利用を見込むことにより、提携数・地域エリアを増やし、稼働率・資産価値の向上を図ることの可能なスポーツサークル運営システムを提案することにある。
【０００７】
【課題を解決するための手段】
上記の課題を解決するために、本発明のスポーツサークル運営システムは、
インターネット上でスポーツサークルサイトを運営する管理システムを有し、前記スポーツサークルサイトに通信端末からインターネットを介してアクセスすることにより、
当該スポーツサークルサイトに掲載されている各種のスポーツサークル情報、スポーツイベント情報の閲覧および検索が可能なサークル検索機能を提供し、
予め前記管理システムに登録されている会員が前記スポーツサークルサイトにアクセスすると、
メールの送信、受信メール一覧表示、送信済みメールの一覧表示が可能なミニメール機能、
前記スポーツサークルサイトに掲載されている各種スポーツイベントへの申し込み確認・変更機能、
会員登録内容の確認と変更を行うことのできる個人データ変更機構、
新規のスポーツサークルを作成して登録できるサークル作成機能、
作成したスポーツサークルを管理するサークル管理機能、
各種スポーツサークルへの入会機能、
を提供することを特徴としている。
【０００８】
また、本発明のシステムにおいて、非会員が前記スポーツサークルサイトにアクセスすると、
少なくとも、利用規約情報、会員登録情報、サークル活動情報、スポーツカテゴリトップページ、イベント一覧・詳細情報、スポーツサークル一覧・検索機能およびサークルページ・掲示板を提供することが望ましい。
【０００９】
ここで、前記の各種スポーツイベントへの申し込み機能は、
申し込み順、申し込み単位、申し込み又は同伴者、表示ネーム、所属サークル名を含むイベントの申し込み状況をイベント詳細画面にて一覧表示し、
申し込みが完了した時点で、前記管理システムより完了メールを自動配信し、申し込み完了画面ではオンライン決済が連携していて、直ちに決済可能な機能である。
【００１０】
前記イベント申し込み確認・変更機能は、
予約状況を会員ページにて確認でき、
予約の変更、キャンセルが可能であり、
予約の変更、キャンセルの確認画面において連携しているオンライン決済が可能な機能である。
【００１１】
前記サークル作成機能は、
スポーツサークルを前記スポーツサークルサイト上で作成した場合、作成したスポーツサークルが、選択したスポーツのカテゴリとサークル一覧に格納され、会員にはサークル主催者としてサークルページの管理、活動を行うためのサークル管理機能が付与され、主催者管理機能として、サークル情報管理、入会申請一覧、メンバー管理、入会申請可否、掲示板、管理人への報告機能を提供するものである。
【００１２】
前記サークル管理機能は、
サークル情報管理画面においてメンバー募集、対戦相手募集機能を提供し、
当該画面にチェックを入れた場合、サークル検索画面にて、メンバー募集サークルを検索すると登録されているサークルを表示し、対戦相手募集も検索可能であり、特定のスポーツカテゴリにおいては、同時にその対戦チーム募集一覧への格納も行い、
サークル入会を希望するメールを入会申請一覧に格納し、申請中のメール管理が可能であり、主催者は入会の可否をメールにて返信でき、許可された会員を主催者用メンバー一覧へ格納し、拒否された入会希望者を入会申請一覧より削除し、
メンバー管理においては入会許可した会員を表示し、個別、選択、全選択機能を提供し、選択したメンバーに対してミニメールを送ることが可能であり、
主催者は作成したサークル内の掲示板への書込みと削除が可能であり、メンバーの書き込みに対して、書き込んだ本人以外で削除することが可能であり、
主催者はサイト管理人への報告メールを送ることが可能であり、このメールは管理人によりサークル活動報告としてスポーツカテゴリトップに反映させることのできる機能である。
【００１３】
前記各種スポーツサークルへの入会機能は、
サークルに入会する場合に、サークルの主催者に対し、入会申請ミニメールを送り、このミニメールを主催者管理機能の入会申請一覧に格納し、許可された会員を入会サークルページにて入会用メンバー一覧に所属させ、サークルメンバーとのミニメールのやりとりを可能とし、
掲示板への書込み・削除を可能とし、本人の望む望まないに拘わらず、不適切と主催者が判断した場合には、主催者がサークル管理機能にて削除することが可能な機能である。
【００１４】
前記サークル検索機能は、
スポーツカテゴリからサークル一覧を開くと、そのスポーツに属しているサークルを表示し、ユーザーは検索項目を選択し、探したいサークルを表示することができ、サークル名をクリックするとサークルページを表示する機能である。
【００１５】
本発明のシステムは、会員ページ機能を有しており、この会員ページ機能は、会員登録をすると個人のページを作成し、このページではミニメール機能、イベント申し込み参照・変更機能を提供し、前記管理システムにて入力したデータをサークル管理人からのお知らせとして表示する機能である。
【００１６】
次に、前記ミニメール機能は、
登録会員同士のメール交換が可能であり、メールアドレスではなく、会員登録した際のニックネームをキーとする、サイト専用のメール機能であり、メールデータは全て前記管理システムでの管理下にあり、メール送信、受信、送信一覧、受信一覧にてミニメールの管理が可能であり、新着ミニメールが届くと何通なのかがミニメールトップ、会員トップページで表示され、確認可能であり、送信、受信メールの相手は友達リストに登録が可能で、頻繁に利用するアドレス帳としての利用ができる機能である。
【００１７】
また、本発明のシステムは、レベル判定機能を有していることが望ましい。この機能はイベント参加者のレベルを統一し、円滑な運用をサポートするために、スポーツのスキルの判定を行う機能であり、イエス・ノーを選択してくことで複数段階のレベル判定を行い得るものである。
【００１８】
【発明の実施の形態】
以下に、図面を参照して、本発明を適用したスポーツサークル運営システムの実施の形態を説明する。
【００１９】
図１に示すように、本実施の形態に係るスポーツサークル運営システム１は、インターネット上でスポーツサークルサイト２を運営している管理システム３から構成されており、スポーツサークルサイト２には、インターネットを介してインターネット通信機能を備えた各種の通信端末４からアクセス可能である。ユーザーは、通信端末から、インターネットを介してスポーツサークルサイト２にアクセスすることにより、イベントの予約申し込みや、サークルの作成、メール交換が可能である。スポーツサークルサイト２は、掲示板機能も備えており、会員またはサークル間のコミュニケーションをサポートする。イベントへの申し込み状況、サークル作成状況、コミュニケーションデータ等はデータベース化され、データベースはサイト運営のための管理機能を有していて、全てのデータの把握が可能である。サイトは会員制であり、会員専用の機能を搭載している。
【００２０】
（会員専用機能）
会員がスポーツサークル運営サイトにアクセスすると、会員トップページ（受信メール、イベント申し込み参照・変更、サークル（管理人）からのお知らせ機能）が表示される。この会員トップページにおいては次の機能が備わっている。
【００２１】
（１）ミニメール機能（メールを送る、受信メール一覧、送信済みメール一覧、友達リスト）
（２）イベント申し込み参照・変更（イベント詳細確認、申し込み確認・変更、オンライン決済）
（３）個人データ変更（会員登録内容の確認と変更）
（４）マイサークル（主催＝作成、入会サークルの一覧格納）
（５）サークル作成（作成後、マイサークル、スポーツカテゴリ一覧へ格納、メンバー募集、対戦相手募集チェックありは各一覧へ格納）
（６）サークル作成者は主催サークル管理機能（サークル情報管理、入会申請一覧、管理人への報告、掲示板管理、メンバー管理）
（７）サークル入会（入会申請）
（８）サークル入会者は入会サークル機能（主催者へのメール、掲示板、メンバー一覧・メール）
（９）サークル（管理人）からのお知らせ（管理システムからのテキストを会員トップページで表示）
（１０）ログアウト（利用終了時にサイトから出る）
（１１）スポーツイベントの申し込み
【００２２】
（非会員利用機能）
非会員は会員トップページにアクセスして、そこに表示されている情報を閲覧・参照することのみが可能である。この会員トップページには、次の情報が掲載されている。
【００２３】
（１）利用規約
（２）会員登録（登録可）
（３）サークル活動について
（４）スポーツカテゴリトップページ
（５）イベント一覧・詳細
（６）スポーツサークル一覧・検索機能
（７）サークルページ・掲示板
【００２４】
（会員登録）
スポーツサークル運営システムのトップページから会員登録画面に移行し、当該会員登録画面上において会員登録手続きを行うことができる。会員登録画面より入力項目を全て入力させる。メールアドレスをユーザーＩＤとして、パスワードと共にログイン時に入力させる。ニックネームは重複不可で重複の際はエラーメッセージを表示する。郵便番号、住所、ニックネームはそれぞれ入力したデータに対し検索された内容を反映し、手間を省くことができる。
【００２５】
入力項目を全て入力した後には、確認画面において入力項目を確認させる。この後に、「登録する」がクリックされると登録の受付を完了する。この時点での会員機能の利用はできないようになっており、管理システムから自動配信される受付メールを返信し、管理者が返信メールでメールアドレス、本人確認後、管理システムで会員登録チェックを行う。その時点で登録完了メールが自動配信され、この時点で正式に会員登録され会員機能が利用可能になる。
【００２６】
（会員認証機能）
会員機能を利用する際に、ユーザーＩＤ、パスワードで会員認証を行う。認証されない場合には再度入力画面を表示する。パスワードを忘れた場合には管理システムへユーザーＩＤ（メールアドレス）を入力しメールを送る。管理システムでは自動的に会員を検索し、パスワードを表示したメールを配信する。
【００２７】
（ログアウト機能）
会員認証済みで会員機能利用終了時に、ログアウトを行う。以後、会員機能を利用する際には会員認証をする必要がある。
【００２８】
（イベント申し込み機能）
イベントの申し込み状況はイベント詳細画面にて、申込・キャンセルを表示し、どのサークルの誰が何人で何番目に申し込みをしたのかを会員が一目で分かるようになっている。すなわち、申し込み順、申し込み単位、申し込み又は同伴者、表示ネーム、所属サークル名などが一覧表示される。
【００２９】
申し込みが完了した時点で、管理システムより完了メールを自動配信する。完了画面ではオンライン決済が連携していて、直ちに決済をすることが可能である。
【００３０】
（イベント申し込み確認・変更機能）
予約状況は会員ページにて確認することができる。予約の変更、キャンセルが可能であり、その確認画面において、連携しているオンライン決済が可能である。
【００３１】
（サークル作成機能）
サークルをインターネットサイト上で作成した場合、作成したサークルが、選択したスポーツのカテゴリとマイサークル一覧に格納される。会員はサークル主催者としてサークルページの管理、活動を行う。主催者管理機能として、サークル情報管理、入会申請一覧、メンバー管理、入会申請可否、掲示板、管理人への報告機能が搭載されている。
【００３２】
（サークル管理機能）
サークル情報管理画面ではメンバー募集、対戦相手募集機能が搭載されていて、チェックを入れた場合、サークル検索画面にて、メンバー募集サークルを検索すると表示されるようになる。同様に対戦相手募集も検索される。また、ある特定のスポーツカテゴリ（チームスポーツ）においては、同時にその対戦チーム募集一覧へ格納されるようになる。
【００３３】
サークル入会を希望するメールは入会申請一覧に格納されていて、申請中のメール管理が可能である。主催者は入会の可否をメールにて返信する。許可された会員は主催者用メンバー一覧へ格納され、拒否された場合には入会申請一覧より削除される。
【００３４】
メンバー管理においては入会許可した会員が表示されていて、個別、選択、全選択機能があり、選択したメンバーに対してミニメールを送ることが可能である。
【００３５】
主催者は作成したサークル内の掲示板への書込みと削除が可能で、メンバーの書き込みに対して、書き込んだ本人以外で削除することが可能である。
【００３６】
主催者はサイト管理人への報告メールを送ることが可能である。このメールは管理人によりサークル活動報告としてスポーツカテゴリトップに反映されていく。
【００３７】
（サークル入会機能）
サークルに入会する場合には、サークルの主催者に対し、入会申請ミニメールを送る。このミニメールは主催者管理機能の入会申請一覧に格納され、許可された会員は入会サークルページにて入会用メンバー一覧に所属し、サークルメンバーとのミニメールのやりとりが可能になる。
【００３８】
掲示板への書込み・削除が可能である。ただし本人の望む望まないに拘わらず、不適切と主催者が判断した場合には、主催者がサークル管理機能にて削除することが可能である。
【００３９】
（サークル検索機能）
スポーツカテゴリからサークル一覧を開くと、そのスポーツに属しているサークルが標準で表示される。ユーザーは検索項目を選択し、探したいサークルを表示することができる。サークル名をクリックするとサークルページが表示される。
【００４０】
（会員ページ機能）
会員登録をすると個人のページが作成される。このページではミニメール機能、イベント申し込み参照・変更機能が搭載される。管理システムにて入力したデータがサークル（管理人）からのお知らせとして表示される。
【００４１】
（ミニメール機能）
登録会員同士のメール交換が可能である。これはメールアドレスではなく、会員登録した際のニックネームをキーとする、サイト専用のメール機能である。メールデータは全て管理システムでの管理下にある。
【００４２】
メール送信、受信、送信一覧、受信一覧にてミニメールの管理が可能である。新着ミニメールが届くと何通なのかがミニメールトップ、会員トップページで表示され、すぐに確認することが可能になる。
【００４３】
送信、受信メールの相手は友達リストに登録が可能で、よく利用するアドレス帳としての利用ができる。
【００４４】
（会員データ参照・変更機能）
会員登録時の内容の参照と変更が可能である。ただし、ニックネームの変更は不可となっている。
【００４５】
（レベル判定機能）
スポーツのスキルの判定を行う機能である。利用者は誰でも可能で、イエス・ノーを選択してくことで６段階の判定が行なわれる。これはその他のスポーツカテゴリでも代用が可能で、イベント参加者のレベルを統一し、円滑な運用をサポートするものである。
【００４６】
【発明の効果】
以上説明したように、本発明のスポーツサークル運営システムによれば、次の効果が得られる。
【００４７】
（１）　従来の方法では、イベント・ゲームの参加者を募るために、時間と手間を要していたが、ウェブを活用することにより次の効果が得られる。
ａ）コストが削減できる（主に企画準備・実施までの人件費）
ｂ）企画と募集にあたりリードタイムを要しない
ｃ）競技場や審判など施設と人の確保にゆとりがもてる
ｄ）自分の予定にあわせて随時確定できる
ｅ）突然のキャンセルに対する迅速な穴埋めとその連絡が可能となる
（２）　イベント自体がサークル作成促進の企画であり、サークルの立ち上げを促していくことができる。インターネットにサークルページの作成が可能で、インターネットでのサークルの活動が可能になる。
（３）　サークルのコミュニケーション機能によりイベントとイベントの合間もリレーションを維持でき且つ人の輪を広げられる。
（４）　対戦記録や技能のペーパーテストにより、実力に応じた対戦相手やチームメイトを募ることが可能になり、競技指向の人と楽しみ指向の人を分類可能になる。
（５）　ウェブ対応の携帯電話からもアクセスできるようになるため、瞬時に申し込みやスケジュ−ル変更を関係者へ連絡できる。
（６）参加者の名前（愛称）を逐次見ることができるため、参加メンバーの顔ぶれを見ながら、参加を検討できる。
（７）参加者がある程度集まってから、追って競技場を確保（申込み）することが出来る。つまり、企画先行で募集をかけることが可能。なぜなら、企画のキャンセルも迅速且つ簡単に連絡が可能である。
（８）　住民に供する施設を行政が用意しても、住民を容易に組織化できる体制が無ければ施設の利用を促進できないが、このサークル機能で対処できる。
【図面の簡単な説明】
【図１】本発明によるスポーツサークル運営システムの例を示す説明図である。
【符号の説明】
１　　スポーツサークル運営システム
２　　スポーツサークルサイト
３　　管理システム
４　　通信端末
【図１】
2004126900.tif 000003